(57)【特許請求の範囲】
【請求項１】
各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持つ無線伝送装置間のデータ転送を前記無線伝送路を介して行う無線伝送システムであって、
前記無線伝送装置各々は、前記無線伝送路の回線劣化状況に応じて前記誤り訂正機能及び前記インタリーブ機能をオン・オフする手段と、前記外部伝送路からのデータ列を蓄積する受信バッファメモリとを有し、
前記無線伝送装置各々は、前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
前記無線伝送装置各々は、ＳＤＨ（Ｓｙｎｃｈｒｏｎｏｕｓ  Ｄｉｇｉｔａｌ  Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ
Ｎｅｔｗｏｒｋ）データ列を含むバーストデータ列とのいずれかを無線フレームに多重して伝送し、
前記無線伝送装置各々は、前記無線フレームの構成において前記インタリーブ機能の処理に影響されない位置に受信回線劣化アラーム信号をアサインすることを特徴とする無線伝送システム。
【請求項２】
前記無線伝送装置各々は、前記無線伝送路の回線劣化状況を測定する回線状況判定回路を含み、
前記無線伝送装置各々は、前記回線状況判定回路の測定結果が前記データ列のビット誤りが発生しない状態を示している時に前記誤り訂正機能及び前記インタリーブ機能をオフとし、前記回線状況判定回路の測定結果が前記データ列のビット誤りが発生する状態を示している時に前記誤り訂正機能及び前記インタリーブ機能をオンとすることを特徴とする請求項１記載の無線伝送システム。
【請求項３】
前記回線状況判定回路は、少なくとも前記無線伝送路の受信電界レベルと前記データ列の符号誤り訂正検出結果と前記データ列のパリティ誤り検出結果とのいずれかにて前記回線劣化状況を測定することを特徴とする請求項２記載の無線伝送システム。
【請求項４】
前記無線伝送装置各々は、前記誤り訂正機能及び前記インタリーブ機能各々で処理されたデータ列と前記誤り訂正機能及び前記インタリーブ機能各々で処理されていないデータ列とを切替えて前記無線伝送路に送信する切替手段を含み、
前記切替手段は、前記回線状況判定回路の測定結果が前記データ列のビット誤りが発生しない状態を示している時に前記誤り訂正機能及び前記インタリーブ機能各々で処理されていないデータ列を選択し、前記回線状況判定回路の測定結果が前記データ列のビット誤りが発生する状態を示している時に前記誤り訂正機能及び前記インタリーブ機能各々で処理されたデータ列を選択することを特徴とする請求項２または請求項３記載の無線伝送システム。
【請求項５】
前記無線伝送装置各々は、前記外部伝送路から入力されるデータ列が前記バーストデータ列の場合に当該バーストデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止することを特徴とする請求項１から請求項４のいずれか記載の無線伝送システム。
【請求項６】
前記無線伝送装置各々は、前記無線フレームの構成において前記インタリーブ機能の処理に影響されない位置に前記無線フレームの同期パタンをアサインすることを特徴とする請求項１から請求項５のいずれか記載の無線伝送システム。
【請求項７】
前記無線伝送装置各々は、前記バーストデータ列を伝送する際に前記誤り訂正機能をオフとした場合、誤り訂正符号化の検査ビットを多重している前記無線フレームの冗長部をペイロードとすることを特徴とする請求項１から請求項６のいずれか記載の無線伝送システム。
【請求項８】
各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持ち、他の無線伝送装置との間のデータ転送を前記無線伝送路を介して行う無線伝送装置であって、
前記無線伝送路の回線劣化状況に応じて前記誤り訂正機能及び前記インタリーブ機能をオン・オフする手段と、前記外部伝送路からのデータ列を蓄積する受信バッファメモリとを有し、
前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
ＳＤＨ（Ｓｙｎｃｈｒｏｎｏｕｓ  Ｄｉｇｉｔａｌ  Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ  Ｎｅｔｗｏｒｋ）データ列を含むバーストデータ列とのいずれかを無線フレームに多重して伝送し、
前記無線フレームの構成において前記インタリーブ機能の処理に影響されない位置に受信回線劣化アラーム信号をアサインすることを特徴とする無線伝送装置。
【請求項９】
前記無線伝送路の回線劣化状況を測定する回線状況判定回路を含み、
前記回線状況判定回路の測定結果がデータ列のビット誤りが発生しない状態を示している時に前記誤り訂正機能及び前記インタリーブ機能をオフとし、
前記回線状況判定回路の測定結果が前記データ列のビット誤りが発生する状態を示している時に前記誤り訂正機能及び前記インタリーブ機能をオンとすることを特徴とする請求項８記載の無線伝送装置。
【請求項１０】
前記回線状況判定回路は、少なくとも前記無線伝送路の受信電界レベルと前記データ列の符号誤り訂正検出結果と前記データ列のパリティ誤り検出結果とのいずれかにて前記回線劣化状況を測定することを特徴とする請求項９記載の無線伝送装置。
【請求項１１】
前記誤り訂正機能及び前記インタリーブ機能各々で処理されたデータ列と前記誤り訂正機能及び前記インタリーブ機能各々で処理されていないデータ列とを切替えて前記無線伝送路に送信する切替手段を含み、
前記切替手段は、前記回線状況判定回路の測定結果がデータ列のビット誤りが発生しない状態を示している時に前記誤り訂正機能及び前記インタリーブ機能各々で処理されていないデータ列を選択し、前記回線状況判定回路の測定結果が前記データ列のビット誤りが発生する状態を示している時に前記誤り訂正機能及び前記インタリーブ機能各々で処理されたデータ列を選択することを特徴とする請求項９または請求項１０記載の無線伝送装置。
【請求項１２】
前記外部伝送路から入力されるデータ列が前記バーストデータ列の場合に当該バーストデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記無線フレームへの多重を停止することを特徴とする請求項８から請求項１１のいずれか記載の無線伝送装置。
【請求項１３】
前記無線フレームの構成において前記インタリーブ機能の処理に影響されない位置に前記無線フレームの同期パタンをアサインすることを特徴とする請求項８から請求項１２のいずれか記載の無線伝送装置。
【請求項１４】
前記バーストデータ列を伝送する際に前記誤り訂正機能をオフとした場合、誤り訂正符号化の検査ビットを多重している前記無線フレームの冗長部をペイロードとすることを特徴とする請求項８から請求項１３のいずれか記載の無線伝送装置。
【請求項１５】
各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持つ無線伝送装置間のデータ転送を前記無線伝送路を介して行う無線伝送システムに用いる無線伝送方法であって、
前記無線伝送装置各々が、前記無線伝送路の回線劣化状況に応じて前記誤り訂正機能及び前記インタリーブ機能をオン・オフする処理と、前記外部伝送路からのデータ列を受信バッファメモリに蓄積する処理とを実行し、
前記無線伝送装置各々が、前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
前記無線伝送装置各々が、ＳＤＨ（Ｓｙｎｃｈｒｏｎｏｕｓ  Ｄｉｇｉｔａｌ
Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ  Ｎｅｔｗｏｒｋ）データ列を含むバーストデータ列とのいずれかを無線フレームに多重して伝送し、
前記無線伝送装置各々が、前記無線フレームの構成において前記インタリーブ機能の処理に影響されない位置に受信回線劣化アラーム信号をアサインすることを特徴とする無線伝送方法。
【請求項１６】
前記無線伝送装置各々に、前記無線伝送路の回線劣化状況を測定する回線状況判定回路を設け、
前記無線伝送装置各々が、前記回線状況判定回路の測定結果がデータ列のビット誤りが発生しない状態を示している時に前記誤り訂正機能及び前記インタリーブ機能をオフとし、前記回線状況判定回路の測定結果が前記データ列のビット誤りが発生する状態を示している時に前記誤り訂正機能及び前記インタリーブ機能をオンとすることを特徴とする請求項１５記載の無線伝送方法。
【請求項１７】
前記回線状況判定回路は、少なくとも前記無線伝送路の受信電界レベルと前記データ列の符号誤り訂正検出結果と前記データ列のパリティ誤り検出結果とのいずれかにて前記回線劣化状況を測定することを特徴とする請求項１６記載の無線伝送方法。
【請求項１８】
前記無線伝送装置各々に、前記誤り訂正機能及び前記インタリーブ機能各々で処理されたデータ列と前記誤り訂正機能及び前記インタリーブ機能各々で処理されていないデータ列とを切替えて前記無線伝送路に送信する切替手段を設け、
前記切替手段が、前記回線状況判定回路の測定結果がデータ列のビット誤りが発生しない状態を示している時に前記誤り訂正機能及び前記インタリーブ機能各々で処理されていないデータ列を選択し、前記回線状況判定回路の測定結果が前記データ列のビット誤りが発生する状態を示している時に前記誤り訂正機能及び前記インタリーブ機能各々で処理されたデータ列を選択することを特徴とする請求項１６または請求項１７記載の無線伝送方法。
【請求項１９】
前記無線伝送装置各々が、前記外部伝送路から入力されるデータ列が前記バーストデータ列の場合に当該バーストデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記無線フレームへの多重を停止することを特徴とする請求項１５から請求項１８のいずれか記載の無線伝送方法。
【請求項２０】
前記無線伝送装置各々が、前記無線フレームの構成において前記インタリーブ機能の処理に影響されない位置に前記無線フレームの同期パタンをアサインすることを特徴とする請求項１５から請求項１９のいずれか記載の無線伝送方法。
【請求項２１】
前記無線伝送装置各々が、前記バーストデータ列を伝送する際に前記誤り訂正機能をオフとした場合、誤り訂正符号化の検査ビットを多重している前記無線フレームの冗長部をペイロードとすることを特徴とする請求項１５から請求項２０のいずれか記載の無線伝送方法。
【発明の詳細な説明】
【技術分野】
【０００１】
本発明は無線伝送システム、無線伝送装置及びそれらに用いる無線伝送方法に関し、特にデータ列の無線伝送を行う無線伝送装置に関する。
【背景技術】
【０００２】
従来、無線伝送装置においては、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）等で標準化されているＰＤＨ（Ｐｌｅｓｉｏｃｈｒｏｎｏｕｓ  Ｄｉｇｉｔａｌ  Ｈｉｅｒａｒｃｈｙ）データ列やＳＤＨ（Ｓｙｎｃｈｒｏｎｏｕｓ  Ｄｉｇｉｔａｌ  Ｈｉｅｒａｒｃｈｙ）データ列を無線フレームデータ列に多重して無線伝送を行っているが、ＬＡＮ（Ｌｏｃａｌ  Ａｒｅａ  Ｎｅｔｗｏｒｋ）網の普及に伴ってＬＡＮインタフェースを実装し、無線伝送路を介してＬＡＮデータ列の伝送を行う必要性が高まっている。
【０００３】
また、無線伝送装置においては、リードソロモン等の誤り訂正処理機能とインタリーブ処理機能とを持つことが、無線伝送路でのビット誤りの訂正やフェージングによるバーストエラーの救済という利点がある半面、伝送遅延量が大きくなることから、接続されるＬＡＮ網の品質を劣化させる要因となる。
【０００４】
従来の技術としては、ディジタル移動通信システムを利用したデータ通信において、伝送路の状況に応じて最適な誤り制御方式とインタリーブの段数とを制御する装置が提案されている（例えば、特許文献１参照）。
【０００５】
図８において、送信側装置５は外部から入力されるデータを誤り訂正符号化部５１において符号化処理し、インタリーブ部５２でインタリーブ処理を行って送信部５３へ出力する。送信部５３はインタリーブ処理後のデータを無線フレームに多重し、変調と無線周波数への周波数変換とを行って伝送路４００へ出力する。
【０００６】
受信側装置６は受信部６１において伝送路４００から入力される信号に対して周波数変換と、復調と、無線フレームからのデータ抽出とを行い、デインタリーブ部６２へ出力する。デインタリーブ部６２は無線フレームから抽出されたデータをデインタリーブし、誤り訂正復号化部６３へ出力する。誤り訂正復号化部６３はデインタリーブ処理後のデータに対して復号化処理を行い、訂正処理後のデータを外部へ出力する。
【０００７】
伝送路状態検知部６４は伝送路４００の回線状態を監視し、伝送誤り情報を含む統計情報に基づいてインタリーブの段数と復号化方式とを決定し、制御情報をデインタリーブ部６２と誤り訂正符号化部６３とに出力する。また、伝送路状態検知部６４では、制御情報を送信側装置５の誤り訂正符号化部５１とインタリーブ部５２とに伝送することでインタリーブ、デインタリーブの段数と誤り訂正符号化、復号化方式を一致させる。
【０００８】
【特許文献１】特開平９−２９８５２６号公報
【発明の開示】
【発明が解決しようとする課題】
【０００９】
しかしながら、上記の従来の技術では、伝送路４００の受信レベルや雑音レベル等の情報を加工して平均受信レベルや平均雑音レベルを求め、予め記憶されているパラメータ値と比較して最終的に符号化方式とインタリーブ段数とを決定しているため、受信回線劣化から符号化方式及びインタリーブ段数の切替えを行うまでに時間がかかるという問題がある。
【００１０】
また、従来の技術では、受信側装置６のデインタリーブの深さと誤り訂正復号化方式とを切替えるタイミングと、送信側装置５の符号化処理方式とインタリーブの深さとを切替えるタイミングがずれるため、送受間の設定が一致し、インタリーブ処理に対してデインタリーブ処理が正常に機能するまでの間、伝送するデータがすべて失われてしまうという問題がある。
【００１１】
このように、従来の無線伝送装置では、リードソロモン等の誤り訂正処理機能とインタリーブ処理機能とを持つことによって、無線伝送路の劣化やフェージングによるバーストエラーを救済可能とする利点がある半面、伝送遅延量の増加に伴って、ＬＡＮ網等の外部に接続される伝送網の品質を劣化させる可能性があることから、無線伝送路の回線状況に応じて最適な方式を選択する必要がある。
【００１２】
そこで、本発明の目的は上記の問題点を解消し、無線伝送遅延量及び無線伝送路データ誤り訂正の最適化を行うことができる無線伝送システム、無線伝送装置及びそれらに用いる無線伝送方法を提供することにある。
【課題を解決するための手段】
【００１３】
本発明による無線伝送システムは、各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持つ無線伝送装置間のデータ転送を前記無線伝送路を介して行う無線伝送システムであって、
前記無線伝送装置各々は、前記無線伝送路の回線劣化状況に応じて前記誤り訂正機能及び前記インタリーブ機能をオン・オフする手段と、前記外部伝送路からのデータ列を蓄積する受信バッファメモリとを備え、
前記無線伝送装置各々は、前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
前記無線伝送装置各々は、ＳＤＨ（Ｓｙｎｃｈｒｏｎｏｕｓ  Ｄｉｇｉｔａｌ  Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ
Ｎｅｔｗｏｒｋ）データ列を含むバーストデータ列とのいずれかを無線フレームに多重して伝送し、
前記無線伝送装置各々は、前記無線フレームの構成において前記インタリーブ機能の処理に影響されない位置に受信回線劣化アラーム信号をアサインしている。
【００１４】
本発明による無線伝送装置は、各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持ち、他の無線伝送装置との間のデータ転送を前記無線伝送路を介して行う無線伝送装置であって、
前記無線伝送路の回線劣化状況に応じて前記誤り訂正機能及び前記インタリーブ機能をオン・オフする手段と、前記外部伝送路からのデータ列を蓄積する受信バッファメモリとを備え、
前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
ＳＤＨ（Ｓｙｎｃｈｒｏｎｏｕｓ  Ｄｉｇｉｔａｌ  Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ  Ｎｅｔｗｏｒｋ）データ列を含むバーストデータ列とのいずれかを無線フレームに多重して伝送し、
前記無線フレームの構成において前記インタリーブ機能の処理に影響されない位置に受信回線劣化アラーム信号をアサインしている。
【００１５】
本発明による無線伝送方法は、各々無線伝送路でのビット誤りの訂正を行う誤り訂正機能とフェージングによるバーストエラーを救済するインタリーブ処理機能と外部伝送路から入力されるデータ列を無線フレームに多重して伝送する機能とを持つ無線伝送装置間のデータ転送を前記無線伝送路を介して行う無線伝送システムに用いる無線伝送方法であって、
前記無線伝送装置各々が、前記無線伝送路の回線劣化状況に応じて前記誤り訂正機能及び前記インタリーブ機能をオン・オフする処理と、前記外部伝送路からのデータ列を受信バッファメモリに蓄積する処理とを実行し、
前記無線伝送装置各々が、前記外部伝送路から入力されるデータ列を前記受信バッファメモリに蓄積し、送信側と受信側との間の設定が一致し、前記送信側の前記誤り訂正機能及び前記インタリーブ機能に対して前記受信側の前記誤り訂正機能及び前記インタリーブ機能が正常に機能するまでの間、前記受信バッファメモリからの前記データ列の読出しを停止し、前記データ列の前記無線フレームへの多重を停止し、
前記無線伝送装置各々が、ＳＤＨ（Ｓｙｎｃｈｒｏｎｏｕｓ  Ｄｉｇｉｔａｌ
Ｈｉｅｒａｒｃｈｙ）データ列とＰＤＨ（Ｐｌｅｓｉｏｃｈｒｏｎｏｕｓ  Ｄｉｇｉｔａｌ  Ｈｉｅｒａｒｃｈｙ）データ列とＬＡＮ（Ｌｏｃａｌ  Ａｒｅａ  Ｎｅｔｗｏｒｋ）データ列を含むバーストデータ列とのいずれかを無線フレームに多重して伝送し、
前記無線伝送装置各々が、前記無線フレームの構成において前記インタリーブ機能の処理に影響されない位置に受信回線劣化アラーム信号をアサインしている。
【００１６】
すなわち、本発明の無線伝送システムは、無線伝送装置に、無線伝送路の回線劣化状況に応じて自動的に誤り訂正機能及びインタリーブ機能をオン・オフする手段を持ち、無線伝送遅延量及び無線伝送路データ誤り訂正の最適化を行うことを可能としている。
【００１７】
また、本発明の無線伝送システムは、無線伝送装置において、誤り訂正機能及びインタリーブ機能をオン・オフ制御する際に、伝送するＬＡＮ（Ｌｏｃａｌ  Ａｒｅａ  Ｎｅｔｗｏｒｋ）データ列のデータ消失やビット誤りを防ぐことを可能としている。
【００１８】
つまり、本発明の無線伝送システムは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）等で標準化されているＳＤＨ（Ｓｙｎｃｈｒｏｎｏｕｓ  Ｄｉｇｉｔａｌ  Ｈｉｅｒａｒｃｈｙ）データ列やＰＤＨ（Ｐｌｅｓｉｏｃｈｒｏｎｏｕｓ  Ｄｉｇｉｔａｌ  Ｈｉｅｒａｒｃｈｙ）データ列、またはＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３等で標準化されているＬＡＮ（Ｌｏｃａｌ  Ａｒｅａ  Ｎｅｔｗｏｒｋ）データ列を無線フレームに多重して伝送する無線伝送装置において、無線伝送路の回線状況に応じて無線フレーム同期をはずすことなく、自動的に誤り訂正機能及びインタリーブ機能のオン・オフを制御し、伝送遅延量及び伝送路誤り訂正能力の最適化を行う手段と、ＬＡＮデータ列を伝送する場合に無線伝送装置間でＬＡＮデータ列のデータ誤りを発生させずに誤り訂正機能及びインタリーブ機能のオン・オフを制御する手段とを有することを特徴としている。
【００１９】
より具体的に説明すると、本発明の無線伝送システムでは、無線伝送装置Ｂの回線状況判定回路で無線伝送路Ｃの受信電界レベルを測定し、データ列のビット誤りが発生しない状態であれば、誤り訂正符号化処理及びデインタリーブ処理をオフにし、無線伝送装置Ａの誤り訂正符号化処理及びインタリーブ処理をオフにすることで、遅延量を最小化している。
【００２０】
また、本発明の無線伝送システムでは、データ列にビット誤りが発生する状態であれば、無線伝送装置Ｂの誤り訂正符号化処理及びデインタリーブ処理をオンにし、無線伝送装置Ａの誤り訂正符号化処理及びインタリーブ処理をオンにすることで、ビット誤りを訂正して無線伝送路Ｃの品質を向上させている。
【００２１】
さらに、本発明の無線伝送システムでは、外部伝送路から入力される主信号データ列がＬＡＮデータ列の場合、無線伝送装置Ａにおいて、インタフェース回路に受信バッファメモリを設けて外部伝送路から入力されるＬＡＮデータ列をパケット単位で蓄え、送受間の設定が一致し、送信側の誤り訂正符号化、インタリーブ処理に対して受信側の誤り訂正復号化、デインタリーブ処理が正常に機能するまでの間、受信バッファメモリからのＬＡＮデータ列の読出しを停止し、無線フレームデータ列への多重を停止することで、無線伝送装置Ａ，Ｂ間でのＬＡＮデータ列のデータ消失を防いでいる。
【００２２】
さらに詳細に説明すると、本発明の無線伝送システムでは、無線伝送装置Ａにおいて、インタフェース回路に外部伝送路から入力されるＳＤＨデータ列やＰＤＨデータ列、もしくはＬＡＮデータ列（以下、主信号データ列と呼ぶ）を無線フレームデータ列に多重可能なデータ列に変換した後、データ多重回路にて無線フレームデータ列に多重し、多重後の無線フレームデータ列を誤り訂正符号化回路と送信切替回路とに出力する。
【００２３】
誤り訂正符号化回路は多重後の無線フレームデータ列に対して誤り訂正の符号化を行い、インタリーブ回路では誤り訂正符号化後の無線フレームデータ列に対してインタリーブ処理を行って送信切替回路へ出力する。送信切替回路は後述するデータ抽出回路から入力される受信回線劣化アラーム抽出信号にしたがって、正常状態の場合にデータ多重回路から入力される多重後の無線フレームデータ列を選択し、アラーム状態の場合にインタリーブ処理後の無線フレームデータ列を選択することで、誤り訂正符号化及びインタリーブ処理実施の有無を切替える。
【００２４】
無線送信回路は送信切替回路から入力される送信切替え後の無線フレームデータ列を変調し、無線周波数に周波数変換して無線送信出力データ列を対向側の無線伝送装置Ｂへ伝送する。
【００２５】
無線伝送装置Ｂでは、回線状況判定回路にて無線伝送路Ｃの回線劣化を検出し、受信回線劣化アラーム信号を受信切替回路及びデータ多重回路へ出力する。また、無線伝送装置Ｂでは、無線受信回路にて無線伝送路Ｃから受信される無線送信出力データ列を周波数変換後、復調し、無線フレーム同期回路にて無線フレーム同期を確立して無線フレームデータ列をデインタリーブ回路及び受信切替回路に出力する。
【００２６】
受信切替回路は回線状況判定回路から入力される受信回線劣化アラーム信号にしたがって、正常状態の場合に無線フレーム同期回路から入力される無線フレームデータ列を選択し、アラーム状態の場合にデインタリーブ回路でデインタリーブ処理を行い、誤り訂正復号化回路にて誤り訂正復号化処理を行った後の無線フレームデータ列を選択して受信切替え後の無線フレームデータ列を出力する。
【００２７】
データ抽出回路は受信切替回路で選択した受信切替え後の無線フレームデータ列から主信号多重データ列を抽出し、インタフェース回路で信号処理を行って主信号データ列を外部伝送路へ出力する。
【００２８】
回線状況判定回路から出力される無線伝送装置Ｂの受信回線劣化アラーム信号はデータ多重回路にて無線伝送装置Ｂから無線伝送装置Ａ方向への無線フレームデータ列に多重され、無線伝送装置Ａに転送される。無線伝送装置Ａのデータ抽出回路は転送された受信回線劣化アラーム信号を抽出してインタリーブ処理及び誤り訂正符号化処理のオン・オフを切替えることで、無線伝送路Ｃの回線状態に応じて自動的に送信側の誤り訂正符号化機能及びインタリーブ機能のオン・オフを制御する。
【００２９】
また、外部伝送路から入力される主信号データ列がＬＡＮデータ等のバーストデータ列の場合、無線伝送装置Ａでは、インタフェース回路に受信バッファメモリを備え、外部伝送路から入力されるＬＡＮデータ列をパケット単位で受信バッファメモリに蓄える。通常運用状態時、無線伝送装置Ａでは、無線フレームデータ列に多重するためのクロックで受信バッファメモリに蓄えられたデータを読出し、無線フレームデータ列に多重する。
【００３０】
無線受信回線アラーム信号が変化し、誤り訂正符号化、復号化処理とインタリーブ、デインタリーブ処理のオン・オフ切替え制御を行う場合、データ多重回路にて多重した多重後の無線フレームデータ列が無線伝送装置Ｂのデータ抽出回路において正常に抽出することができるまでの間、無線伝送装置Ａでは、受信バッファメモリからのデータの読出しを停止し、無線フレームデータ列へのＬＡＮデータ列多重を停止することで、無線伝送装置Ａ，Ｂ間でのＬＡＮデータ列のデータ消失やビット誤りを防ぐことが可能となる。
【発明の効果】
【００３１】
本発明は、上記のような構成及び動作とすることで、無線伝送遅延量及び無線伝送路データ誤り訂正の最適化を行うことができるという効果が得られる。
【発明を実施するための最良の形態】
【００３２】
次に、本発明の実施例について図面を参照して説明する。図１は本発明の一実施例による無線伝送システムの構成を示すブロック図である。図１において、本発明の一実施例による無線伝送システムは、それぞれ外部伝送路１００，３００が接続される無線伝送装置（Ａ，Ｂ）１，３を無線伝送路２００にて接続して構成されている。
【００３３】
図２は図１の無線伝送装置（Ａ）１の構成を示すブロック図であり、図３は図１の無線伝送装置（Ｂ）３の構成を示すブロック図である。これら図１〜図３を参照して無線伝送装置（Ａ，Ｂ）１，３の送信側の回路構成及び受信側の回路構成について説明する。尚、図２及び図３において、無線伝送装置（Ａ，Ｂ）１，３各々は、インタフェース回路１１，３１と、データ多重回路１２，３２と、誤り訂正符号化回路１３，３３と、インタリーブ回路１４，３４と、送信切替回路１５，３５と、無線送信回路１６，３６と、無線受信回路１７，３７と、回線状況判定回路１８，３８と、無線フレーム同期回路１９，３９と、デインタリーブ回路２０，４０と、誤り訂正復号化回路２１，４１と、受信切替回路２２，４２と、データ抽出回路２３，４３とから構成されている。
【００３４】
まず、無線伝送装置（Ａ，Ｂ）１，３の送信側の回路構成について説明する。インタフェース回路１１，３１は外部伝送路１００，３００から入力される主信号データ列１０１，３０１に対して信号処理を行い、主信号多重データ列１１１，３１１をデータ多重回路１２，３２に出力する。本実施例では、無線伝送装置（Ａ，Ｂ）１，３で扱う主信号データ列をＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）等で標準化されているＰＤＨ（Ｐｌｅｓｉｏｃｈｒｏｎｏｕｓ  Ｄｉｇｉｔａｌ  Ｈｉｅｒａｒｃｈｙ）データ列やＳＤＨ（Ｓｙｎｃｈｒｏｎｏｕｓ  Ｄｉｇｉｔａｌ  Ｈｉｅｒａｒｃｈｙ）データ列、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３等で標準化されているＬＡＮ（Ｌｏｃａｌ  Ａｒｅａ  Ｎｅｔｗｏｒｋ）データ列等のバーストデータ列とする。
【００３５】
データ多重回路１２，３２はインタフェース回路１１，３１から入力される主信号多重データ列１１１，３１１と、後述する回線状況判定回路１８，３８で検出した受信回線劣化アラーム信号１１７，３１７を無線フレームデータ列に多重し、多重後の無線フレームデータ列１１２，３１２を誤り訂正符号化回路１３，３３及び送信切替回路１５，３５に出力する。
【００３６】
誤り訂正符号化回路１３，３３はデータ多重回路１２，３２から入力される多重後の無線フレームデータ列１１２，３１２に対して誤り訂正の符号化を行い、誤り訂正符号化の検査ビットを冗長部へ多重して、符号化後の無線フレームデータ列１１３，３１３をインタリーブ回路１４，３４に出力する。
【００３７】
インタリーブ回路１４，３４は誤り訂正符号化回路１３，３３から入力される符号化後の無線フレームデータ列１１３，３１３に対してインタリーブ処理を行い、インタリーブ処理後の無線フレームデータ列１１４，３１４を送信切替回路１５，３５に出力する。
【００３８】
送信切替回路１５，３５は後述するデータ抽出回路２３，４３から入力される受信回線劣化アラーム抽出信号１２２，３２２にしたがって、データ多重回路１２，３２から入力される多重後の無線フレームデータ列１１２，３１２もしくはインタリーブ回路１４，３４から入力されるインタリーブ処理後の無線フレームデータ列１１４，３１４のいずれかを選択し、送信切替え後の無線フレームデータ列１１５，３１５を無線送信回路１６，３６に出力する。
【００３９】
無線送信回路１６，３６は送信切替回路１５，３５から入力される送信切替え後の無線フレームデータ列１１５，３１５に対して変調及び無線周波数への周波数変換を行い、無線送信出力データ列１０３，３０３を無線伝送路２００へ出力する。
【００４０】
次に、無線伝送装置（Ａ，Ｂ）１，３の受信側の回路構成について説明する。回線状況判定回路１１８，３１８は無線伝送路２００の受信電界レベルを測定し、受信回線劣化アラーム信号１１７，３１７を受信切替回路２２，４２及びデータ多重回路１２，３２に出力する。
【００４１】
無線受信回路１７，３７は無線伝送路２００を介して入力される無線送信出力データ列１０４，３０４に対して周波数変換、復調等受信処理を行って受信データ列１１６，３１６を無線フレーム同期回路１９，３９に出力する。
【００４２】
無線フレーム同期回路１９，３９は無線受信回路１７，３７から入力される受信データ列１１６，３１６に対して無線フレーム同期を確立し、無線フレームデータ列１１８，３１８をデインタリーブ回路２０，４０及び受信切替回路２２，４２に出力する。
【００４３】
デインタリーブ回路２０，４０は無線フレーム同期回路１９，３９から入力される無線フレームデータ列１１８，３１８に対してデインタリーブ処理を行い、デインタリーブ処理後の無線フレームデータ列１１９，３１９を誤り訂正復号化回路２１，４１に出力する。
【００４４】
誤り訂正復号化回路２１，４１はデインタリーブ処理後の無線フレームデータ列１１９，３１９に対して誤り訂正復号化処理を行い、復号化後の無線フレームデータ列１２０，３２０を受信切替回路２２，４２に送出する。
【００４５】
受信切替回路２２，４２は回線状況判定回路１８，３８から入力される受信回線劣化アラーム信号１１７，３１７にしたがって、アラーム状態の時に誤り訂正復号化回路２１から入力される復号化後の無線フレームデータ列１２０を選択し、正常状態の時に無線フレーム同期回路１９，３９から入力される無線フレームデータ列１１８，３１８を選択して、それぞれ受信切替え後の無線フレームデータ列１２１，３２１としてデータ抽出回路２３，４３に出力する。
【００４６】
データ抽出回路２３，４３は受信切替え後の無線フレームデータ列１２１，３２１に多重されている主信号多重データ列１２３，３２３を抽出してインタフェース回路１１，３１に出力するとともに、受信切替え後の無線フレームデータ列１２１，３２１に多重されている対向側無線伝送装置の受信回線劣化アラーム信号を抽出して受信回線劣化アラーム抽出信号１２２，３２２を送信切替回路１５，３５に出力する。
【００４７】
インタフェース回路１１，３１はデータ抽出回路２３，３３において抽出した主信号多重データ列１２３，３２３に対して信号処理を行い、主信号データ列１０２，３０２を外部伝送路１００，３００に出力する。
【００４８】
図４は本発明の一実施例において用いる無線フレームデータ列のフォーマットを示す図である。図４において、無線フレームデータ列は無線フレーム部Ｃ１と、無線オーバヘッド部Ｃ２と、ペイロード部Ｃ３と、冗長部Ｃ４とから構成されている。
【００４９】
これら図１〜図４を参照して、本発明の一実施例による無線伝送装置（Ａ，Ｂ）１，３の動作について説明する。まず、外部伝送路１００から入力されるＰＤＨデータ列、ＳＤＨデータ列、ＬＡＮデータ列等の主信号データ列１０１を無線伝送路２００経由で外部伝送路３００へ出力する際の装置動作について説明する。
【００５０】
外部伝送路１００から入力される主信号データ列１０１がＩＴＵ−Ｔで標準化されているＳＤＨデータ列やＰＤＨデータ列等の連続したデータ列の場合、インタフェース回路１１では無線フレームデータ列へ主信号データ列を多重するために、スタッフ同期もしくは従属同期の信号処理を行って主信号多重データ列１１１を生成し、その主信号多重データ列１１１をデータ多重回路１２に出力する。
【００５１】
また、外部伝送路１００から入力される主信号データ列１０１がＩＥＥＥ８０２．３等で標準化されているＬＡＮ信号等のバーストデータ列の場合、インタフェース回路１１では内部に設けた受信バッファに、入力されるバーストデータ列を蓄え、無線フレームデータ列に多重可能なタイミングで受信バッファからデータ列を読出してデータ多重回路１２に主信号多重データ列１１１を出力する。
【００５２】
ここで、無線フレームデータ列は、図４に示すように、無線フレーム同期用のフレーム同期パタンを多重する無線フレーム部Ｃ１と、警報や補助信号、ステータス信号を転送するためのオーバヘッド部Ｃ２と、主信号データ列１０１を伝送するためのペイロード部Ｃ３と、誤り訂正符号化の検査ビットを多重する冗長部Ｃ４とから構成されている。
【００５３】
データ多重回路１２はインタフェース回路１１から入力される主信号多重データ列１１１を無線フレームデータ列のペイロード部Ｃ３に多重するとともに、回線状況判定回路１８から入力される無線伝送装置（Ａ）１の受信回線劣化アラーム信号１１７を無線フレームデータ列のオーバヘッド部Ｃ２に多重して送信切替回路１５と誤り訂正符号化回路１３とに出力する。
【００５４】
誤り訂正符号化回路１３はデータ多重回路１２から入力される無線フレームデータ列１１２に対して誤り訂正符号化処理を、インタリーブ回路１４は符号化処理後の無線フレームデータ列１１３に対してインタリーブ処理を行ってインタリーブ処理後の無線フレームデータ列１１４を送信切替回路１５に出力する。
【００５５】
送信切替回路１５はデータ抽出回路２３で抽出する無線伝送装置Ｂの受信回線劣化アラーム信号から生成した受信回線劣化アラーム抽出信号１２２にしたがって、データ多重回路１２から入力される多重後の無線フレームデータ列１１２とインタリーブ回路１４から入力されるインタリーブ処理後の無線フレームデータ列１１４とを切替える。送信切替え後の無線フレームデータ列１１５は無線送信回路１６経由で無線送信出力データ列１０３として無線伝送路２００に出力され、無線伝送路２００から無線送信出力データ列３０４が無線伝送装置（Ｂ）３に伝送される。
【００５６】
無線伝送装置（Ａ）１の無線送信回路１６から出力された無線送信出力データ列１０３は無線伝送路２００経由で無線伝送装置（Ｂ）３の無線受信回路３７に入力され、周波数変換と復調等無線受信処理とが行われて無線フレーム同期回路３９に受信データ列３１６として入力される。無線フレーム同期回路３９は受信データ列３１６に対して、無線フレーム同期を確立し、無線フレームデータ列３１８をデインタリーブ回路４０及び受信切替回路４２に出力する。
【００５７】
デインタリーブ回路４０は無線フレーム同期回路３９から入力される無線フレームデータ列３１８に対してデインタリーブ処理を行い、誤り訂正復号化回路４１はデインタリーブ処理後の無線フレームデータ列３１９に対して誤り訂正復号化処理を行って復号化後の無線フレームデータ列３２０を受信切替回路４２に出力する。
【００５８】
受信切替回路４２は回線状況判定回路３８において検出した無線伝送装置（Ｂ）３の受信回線劣化アラーム信号３１７にしたがって、無線フレーム同期回路３９から入力される無線フレームデータ列３１８と誤り訂正復号化回路４１から入力される復号化後の無線フレームデータ列３２０とを切替え、受信切替え後の無線フレームデータ列３２１をデータ抽出回路４３に出力する。
【００５９】
データ抽出回路４３は受信切替回路４２から入力される受信切替え後の無線フレームデータ列３２１のペイロード部Ｃ３に多重されている主信号多重データ列３２３を抽出してインタフェース回路３１に出力する。インタフェース回路３１は主信号多重データ列３２３に対して信号処理を行って主信号データ列３０２を外部伝送路３００に出力する。
【００６０】
無線伝送装置（Ａ）１から無線伝送装置（Ｂ）３へ向かう無線伝送路２００の回線状態がビット誤りの発生しない受信電界レベルである場合、無線伝送装置（Ｂ）３の回線状況判定回路３８から出力される受信回線劣化アラーム信号３１７は正常状態となり、受信切替回路４２において無線フレーム同期回路３９から入力されるデインタリーブ及び誤り訂正復号化処理を行わない無線フレームデータ列３１８を選択する。また、データ多重回路３２において受信回線劣化アラーム信号３１７の正常状態が無線フレームデータ列のオーバヘッド部Ｃ２に多重されて無線伝送装置（Ａ）１に転送される。
【００６１】
無線伝送装置（Ａ）１のデータ抽出回路２３は無線伝送装置（Ｂ）３から転送されてきた受信回線劣化アラーム信号を抽出して正常状態を検知し、送信切替回路１５においてデータ多重回路１２から多重後の無線フレームデータ列１１２を選択する。この結果、無線伝送装置（Ａ）１から無線伝送装置（Ｂ）３へのデータ伝送において誤り訂正符号化、復号化処理とインタリーブ、デインタリーブ処理機能がオフ状態となり、遅延量を小さくすることが可能となる。
【００６２】
また、無線伝送装置（Ａ）１から無線伝送装置（Ｂ）３へ向かう無線伝送路２００の回線がビット誤りの発生する受信電界レベルまで劣化した場合、無線伝送装置（Ｂ）３の回線状況判定回路３８から出力される受信回線劣化アラーム信号３１７はアラーム状態となり、受信切替回路４２はデインタリーブ回路３９においてデインタリーブ処理し、誤り訂正復号化回路４１において誤り訂正復号化処理した復号化後の無線フレームデータ列３２０を選択する。
【００６３】
さらに、データ多重回路３２において受信回線劣化アラーム信号３１７のアラーム状態を無線フレームデータ列のオーバヘッド部Ｃ２に多重し、無線伝送装置（Ａ）１に転送する。無線伝送装置（Ａ）１のデータ抽出回路２３は無線伝送装置（Ｂ）３から転送されてきた受信回線劣化アラーム信号を抽出してアラーム状態であることを判断し、送信切替回路１５においてインタリーブ回路１４から入力される誤り訂正符号化処理とインタリーブ処理とを行ったインタリーブ処理後の無線フレームデータ列１１４を選択する。この結果、無線伝送装置（Ａ）１から無線伝送装置（Ｂ）３へのデータ伝送において、誤り訂正符号化、復号化処理機能とインタリーブ、デインタリーブ処理機能とがオン状態となり、無線伝送路２００の回線劣化による伝送データ誤り率悪化を改善することが可能となる。
【００６４】
図５は本発明の一実施例による無線伝送装置（Ａ）１における無線フレームデータ列の処理動作を示す図であり、図６は本発明の一実施例による無線伝送システムの動作を示すタイミングチャートである。これら図１〜図６を参照して本発明の一実施例による無線伝送システムの送信切替え及び受信切替えの動作について説明する。
【００６５】
図５にインタリーブを考慮した無線フレームデータ列の構成例を示す。図５において、インタリーブ段数をＭ（図５においては、Ｍ＝４）、１ユニット周期をＮバイト（Ｎはインタリーブ段数Ｍで割り切れる値）とし、１サブフレームをＭユニットとすると、インタリーブ処理は１サブフレーム単位で完結する。
【００６６】
ここで、無線フレーム同期パタンを多重する無線フレーム部Ｃ１の位置を１ユニット区間の先頭位置にアサインし、データ多重回路１２から出力されるインタリーブ処理なしの無線フレームデータ列１１２とインタリーブ回路１４から出力されるインタリーブ処理後の無線フレームデータ列１１４との位相を調整してそれぞれのユニットの先頭位置を合わせることによって（図５においては、無線フレーム同期パタンを多重する位置を□で示す）、インタリーブ処理の有無にかかわらず無線フレーム部Ｃ１の位置が一致する。この結果、送信切替え発生時に無線フレーム部Ｃ１の位置がずれないため、受信側の無線フレーム同期回路３９において、送信切替えによる不要な無線フレーム同期はずれが発生しない。
【００６７】
また、受信回線劣化アラーム信号を多重するオーバヘッド部Ｃ２もインタリーブ処理の有無に影響されない位置にアサインすることによって（図５においては、受信回線劣化アラーム信号を多重する位置を△で示す）、データ抽出回路２３において受信切替発生時に無線フレームデータ列に多重されている受信回線劣化アラーム信号の誤抽出を防ぎ、送信切替えの誤制御を防ぐことが可能となる。
【００６８】
次に、無線伝送装置（Ａ）１で外部伝送路１００から入力される主信号データ列１０１がＬＡＮデータ等のバーストデータ列の場合の切替動作について、図６のタイミングチャートを用いて説明する。
【００６９】
インタフェース回路１１は受信バッファメモリを備え、外部伝送路１００から入力されるＬＡＮデータ列をパケット単位で受信バッファメモリに蓄える。時刻Ｔ０において、無線伝送路２００の回線状態が劣化し、無線伝送装置（Ｂ）３の回線状況判定回路３８で受信回線劣化アラーム信号３１７がアラーム状態になると、アラーム情報が無線伝送装置（Ａ）１に転送され、時刻Ｔ１でデータ抽出回路２３から受信回線劣化アラーム抽出信号１２２がアラーム状態となって出力される。
【００７０】
データ多重回路１２は時刻Ｔ１の時点で、受信バッファメモリから読出し途中の「パケット１」をすべて無線フレームデータ列に多重した後、受信バッファメモリの読出しクロックを停止して無線フレームデータ列への多重を停止し、送信側の切替えを行う（時刻Ｔ２）。
【００７１】
無線伝送装置（Ｂ）３は伝送された無線フレームデータ列に多重されている「パケット１」を抽出した後、受信側の切替えを行う（時刻Ｔ３）。時刻Ｔ２から時刻Ｔ４はインタリーブ、デインタリーブ処理、誤り訂正符号化、復号化処理をオフからオンに制御した際に、無線伝送装置（Ａ）１のデータ多重回路１２において多重した主信号多重データ列１１２が無線伝送装置（Ｂ）３のデータ抽出回路４３において正しく抽出されるまでの時間である。
【００７２】
したがって、無線伝送装置（Ａ）１では時刻Ｔ２から時刻Ｔ４までの区間、無線フレームデータ列へのＬＡＮデータ列の多重を停止し、時刻Ｔ４以降から受信バッファメモリへの読出しを再開してパケットデータの多重を行うことによって、無線伝送装置（Ａ，Ｂ）１，３間での切替処理によるパケットデータの消失やビット誤りを防ぐことが可能となる。
【００７３】
このように、本実施例では、無線伝送装置（Ｂ）３の回線状況判定回路３８で無線伝送路２００の受信電界レベルを測定し、データ列のビット誤りが発生しない状態であれば、誤り訂正符号化処理とデインタリーブ処理とをオフにし、無線伝送装置（Ａ）１の誤り訂正符号化処理とインタリーブ処理とをオフにすることで、無線伝送路２００の遅延量を最小化することができる。
【００７４】
また、本実施例では、データ列にビット誤りが発生する状態であれば、誤り訂正符号化処理とデインタリーブ処理とをオンにし、無線伝送装置（Ａ）１の誤り訂正符号化処理とインタリーブ処理とをオンにすることで、ビット誤りを訂正して無線伝送路２００の品質を向上させることができる。
【００７５】
さらに、本実施例では、外部伝送路１００から入力される主信号データ列１０１がＬＡＮデータ列の場合、インタフェース回路１１に設けた受信バッファメモリに、外部伝送路１００から入力されるＬＡＮデータ列をパケット単位で蓄え、送受間の設定が一致し、送信側の誤り訂正符号化、インタリーブ処理に対して受信側の誤り訂正復号化、デインタリーブ処理が正常に機能するまでの間、受信バッファメモリからのＬＡＮデータ列の読出しを停止し、無線フレームデータ列への多重を停止することで、無線伝送装置（Ａ，Ｂ）１，３間でのＬＡＮデータ列のデータ消失を防ぐことができる。
【００７６】
すなわち、本実施例では、回線状況判定回路１８，３８において、受信回線の劣化状況を測定し、ビット誤りの発生しない受信電界レベル状態であれば、遅延の原因となる誤り訂正符号化、復号化機能とインタリーブ、デインタリーブ機能とをオフとする手段を設けたので、無線伝送路２００における回線状態がビット誤りの発生しない受信電界レベルである時、伝送データの遅延量を短縮することができる。
【００７７】
また、本実施例では、誤り訂正符号化、復号化機能及びインタリーブ、デインタリーブ機能のオン・オフ切替え制御によって、無線伝送装置（Ａ）１のデータ多重回路１２において多重した主信号多重データ列１１２が無線伝送装置（Ｂ）３のデータ抽出回路４３において正しく抽出されるまでの間、外部伝送路１００から受信したＬＡＮデータ列をデータ多重回路１２の受信バッファメモリに蓄えておき、無線フレームデータ列への多重を停止する手段を設けたので、ＬＡＮデータ等のバーストデータ列の伝送を行う場合に誤り訂正符号化、復号化機能とインタリーブ、デインタリーブ機能とのオン・オフを切替えても、伝送するバーストデータ列にエラーが発生しない。
【００７８】
さらにまた、本実施例では、無線フレーム構成において無線フレーム同期パタンをインタリーブ処理の有無に影響されない位置にアサインしているため、送信側誤り訂正符号化機能及びインタリーブ機能のオン・オフ切替制御を行う際に、受信側の無線フレーム同期がはずれない。
【００７９】
図７は本発明の他の実施例による無線フレームデータ列のフレームフォーマットを示す図である。図７（ａ）において、無線伝送装置（Ａ，Ｂ）１，３間を伝送する無線フレームデータ列のフレームフォーマットは無線フレーム同期用のフレーム同期パタンを多重する無線フレーム部Ｃ１と、無線オーバヘッド部Ｃ２と、外部伝送路１００から入力される主信号データ列を多重するペイロード部Ｃ３と、誤り訂正符号化の検査ビットを多重する冗長部Ｃ４とから構成されている。
【００８０】
しかしながら、誤り訂正符号化、復号化機能をオフに制御した場合には、冗長部Ｃ４が無駄な領域となる。そこで、本実施例では、誤り訂正符号化、復号化機能をオフに制御した場合、図７（ｂ）に示すように、冗長部Ｃ４も外部伝送路１００から入力される主信号データ列を多重するためのペイロード部Ｃ５としてアサインすることによって、外部伝送路１００から入力される主信号データ列の伝送容量を拡大することが可能となるので、伝送する主信号データ列がＬＡＮデータ列等のバーストデータ列の場合に、無線伝送装置（Ａ，Ｂ）１，３間のスループットを向上させることができる。
【００８１】
尚、本発明では、本発明の一実施例において、回線状況判定回路３８が無線伝送路２００の受信電界レベルを測定して受信回線劣化アラーム信号３１７を出力しているが、誤り訂正復号化回路４１で誤り訂正復号化処理を行う際に検出するシンドロームエラーパルス等の誤り訂正パルスや誤り訂正不能パルスを用いて無線伝送路２００の回線状態を測定しても、上記と同様の効果が得られる。
【００８２】
また、本発明では、送信側のデータ多重回路１２にパリティ演算回路を設け、無線フレームデータ列に対してパリティ演算処理を行って多重後の無線フレームデータ列１１２を出力し、受信側のデータ抽出回路４３において受信切替え後の無線フレームデータ列３２１に対してパリティエラー検出を行うことで、無線伝送路２００の回線状況を測定しても、上記と同様の効果が得られる。
【図面の簡単な説明】
【００８３】
【図１】本発明の一実施例による無線伝送システムの構成を示すブロック図である。
【図２】図１の無線伝送装置（Ａ）の構成を示すブロック図である。
【図３】図１の無線伝送装置（Ｂ）の構成を示すブロック図である。
【図４】本発明の一実施例において用いる無線フレームデータ列のフォーマットを示す図である。
【図５】本発明の一実施例による無線伝送装置（Ａ）における無線フレームデータ列の処理動作を示す図である。
【図６】本発明の一実施例による無線伝送システムの動作を示すタイミングチャートである。
【図７】本発明の他の実施例による無線フレームデータ列のフレームフォーマットを示す図である。
【図８】従来の無線伝送システムの構成を示すブロック図である。
【符号の説明】
【００８４】
１  無線伝送装置（Ａ）
３  無線伝送装置（Ｂ）
１１，３１  インタフェース回路
１２，３２  データ多重回路
１３，３３  誤り訂正符号化回路
１４，３４  インタリーブ回路
１５，３５  送信切替回路
１６，３６  無線送信回路
１７，３７  無線受信回路
１８，３８  回線状況判定回路
１９，３９  無線フレーム同期回路
２０，４０  デインタリーブ回路
２１，４１  誤り訂正復号化回路
２２，４２  受信切替回路
２３，４３  データ抽出回路
１００，３００  外部伝送路
２００  を無線伝送路２００
Ｃ１  無線フレーム部
Ｃ２  無線オーバヘッド部
Ｃ３  ペイロード部
Ｃ４  冗長部
【図１】
0004760397.tif 000002
【図２】
0004760397.tif 000003
【図３】
0004760397.tif 000004
【図４】
0004760397.tif 000005
【図５】
0004760397.tif 000006
【図６】
0004760397.tif 000007
【図７】
0004760397.tif 000008
【図８】
0004760397.tif 000009